(57)【要約】  本発明は、協調マルチポイント（ＣｏＭＰ）における信号情報の交換のための装置および方法に関する。本発明の一部の実施形態は、ＣｏＭＰにおける信号情報の交換のための方法を提供しており、ここでは第１の送信ポイントと、第２の送信ポイントとは、少なくとも１つのユーザ機器（ＵＥ）についてのＣｏＭＰを提供している。本方法は、第１の送信ポイントが、第１の送信ポイントと、第２の送信ポイントとのうちの少なくとも一方についてのリソース割り付けを決定するステップと、すなわち、第１の送信ポイントが、決定されたリソース割り付けについて第２の送信ポイントに通知するステップとを含む。リソース割り付けは、対応する送信ポイントのビーム形成と、電力と、ＵＥスケジューリングとのうちの少なくとも１つを含んでいる。本発明は、実用的なネットワーク状態の下でより効果的にＣｏＭＰをサポートすることができる。
2016539560.tif 000002
【特許請求の範囲】
【請求項１】
協調マルチポイント（ＣｏＭＰ）における信号情報の交換のための方法であって、第１の送信ポイントと、第２の送信ポイントとは、少なくとも１つのユーザ機器（ＵＥ）についてのＣｏＭＰを提供しており、前記方法は、
前記第１の送信ポイントが、前記第１の送信ポイントと、前記第２の送信ポイントとのうちの少なくとも一方についてのリソース割り付けを決定するステップであって、前記リソース割り付けは、前記対応する送信ポイントのビーム形成と、電力と、ＵＥスケジューリングとのうちの少なくとも１つを含む、決定するステップと、
前記第１の送信ポイントが、前記決定されたリソース割り付けについて前記第２の送信ポイントに通知するステップと
を含む、方法。
【請求項２】
前記第１の送信ポイントが、前記他の送信ポイントについてのリソース割り付けについて前記第２の送信ポイントに通知するステップをさらに含む、請求項１に記載の方法。
【請求項３】
前記第１の送信ポイントは、異なるタイプのリソースのインジケータを使用して、前記タイプのリソースについての割り付け情報を通知し、前記異なるタイプのリソースの前記インジケータは、前記対応するタイプのリソースのインデックス・リストと、対応するビットマップとを含む、請求項１または２に記載の方法。
【請求項４】
前記ビットマップの粒度は、周波数ドメイン物理リソース・ブロック、サブバンド、ブロードバンドもしくはキャリア、および／またはタイム・ドメイン・サブフレームである、請求項３に記載の方法。
【請求項５】
前記対応するビットマップの中の各位置の値は、前記対応するタイプのリソースの前記インデックス・リストの中の前記タイプのリソースの１つのグループのインデックスのタグである、請求項３に記載の方法。
【請求項６】
ビーム情報は、対応するビーム・インデックス・リストの中の各基本単位に対応しており、前記ビーム・インデックス・リストは、プリコーディング行列インジケータ（ＰＭＩ）と、ランク・インジケータ（ＲＩ）と、ビーム・タグとに関連づけられ、かつ／または複数のＰＭＩ−ＲＩ対と、ビーム・タグとに関連づけられる、請求項３に記載の方法。
【請求項７】
ビーム・インデックス・リストの中の各ビーム・インジケータは、少なくとも１つのビーム制約条件またはビーム許可を含む、請求項３に記載の方法。
【請求項８】
協調マルチポイント（ＣｏＭＰ）における信号情報の交換のための方法であって、第１の送信ポイントと、第２の送信ポイントとは、少なくとも１つのユーザ機器（ＵＥ）についてのＣｏＭＰを提供しており、前記方法は、
前記第２の送信ポイントが、前記第２の送信ポイントのリソース使用情報を決定するステップと、
前記第２の送信ポイントが、前記第１の送信ポイントに対して前記決定されたリソース使用情報を報告するステップと
を含む、方法。
【請求項９】
前記第２の送信ポイントが、前記第１の送信ポイントに対して、前記第２の送信ポイントの上の干渉のレベル情報を報告するステップをさらに含む、請求項８に記載の方法。
【請求項１０】
前記リソース使用情報は、前記第１の送信ポイントによって保護されたリソースについての使用情報と、前記第１の送信ポイントによって保護されていないリソースについての使用情報と、他の隣接セルによって保護されたリソースについての使用情報と、前記他の隣接セルによって保護されていないリソースについての使用情報とを含む、請求項８に記載の方法。
【請求項１１】
前記第２の送信ポイントは、定期的に、またはイベント・トリガされたやり方で、前記リソース使用情報を報告する、請求項８に記載の方法。
【請求項１２】
前記リソース使用情報は、保護されたＵＥのための、保護されたリソースのダウンリンク物理リソース・ブロックの使用と、前記保護されたＵＥのための、保護されていないリソースのダウンリンク物理リソース・ブロックの使用と、前記保護されたＵＥのための、前記保護されたリソースのアップリンク物理リソース・ブロックの使用と、前記保護されたＵＥのための、前記保護されていないリソースのアップリンク物理リソース・ブロックの使用とに分類される、請求項８に記載の方法。
【請求項１３】
協調マルチポイント（ＣｏＭＰ）における信号情報の交換のための装置であって、第１の送信ポイントと、第２の送信ポイントとは、少なくとも１つのユーザ機器（ＵＥ）についてのＣｏＭＰを提供しており、また前記装置は、前記第１の送信ポイントの上で構成され、また
前記第１の送信ポイントと、前記第２の送信ポイントとのうちの少なくとも一方についてのリソース割り付けを決定するリソース割り付け決定デバイスであって、前記リソース割り付けは、前記対応する送信ポイントのビーム形成と、電力と、ＵＥスケジューリングとのうちの少なくとも１つを含む、リソース割り付け決定デバイスと、
前記決定されたリソース割り付けについて前記第２の送信ポイントに通知するリソース割り付けトランスミッタと
を備えている、装置。
【請求項１４】
協調マルチポイント（ＣｏＭＰ）における信号情報の交換のための装置であって、第１の送信ポイントと、第２の送信ポイントとは、少なくとも１つのユーザ機器（ＵＥ）についてのＣｏＭＰを提供しており、また前記装置は、前記第２の送信ポイントの上で構成され、また
前記第２の送信ポイントのリソース使用情報を決定するリソース使用情報決定デバイスと、
前記第１の送信ポイントに対して前記決定されたリソース使用情報を報告するリソース使用情報トランスミッタと
を備えている、装置。
【請求項１５】
協調マルチポイント（ＣｏＭＰ）における信号情報の交換のための方法であって、第１の送信ポイントと、第２の送信ポイントとは、少なくとも１つのユーザ機器（ＵＥ）についてのＣｏＭＰを提供しており、前記方法は、
前記第１の送信ポイントが、前記第２の送信ポイントによって報告された前記第２の送信ポイントについてのリソース使用情報を受信するステップと、
前記受信されたリソース使用情報に基づいて、前記第１の送信ポイントが、前記第１の送信ポイントと、前記第２の送信ポイントとのうちの少なくとも一方についてのリソース割り付けを決定するステップであって、前記リソース割り付けは、前記対応する送信ポイントのビーム形成と、電力と、ＵＥスケジューリングとのうちの少なくとも１つを含む、決定するステップと、
前記第１の送信ポイントが、前記決定されたリソース割り付けについて前記第２の送信ポイントに通知するステップと
を含む、方法。
【発明の詳細な説明】
【技術分野】
【０００１】
本発明は、ワイヤレス通信における信号技術に関し、また詳細には、協調マルチポイント（ＣｏＭＰ：ｃｏｏｒｄｉｎａｔｅｄ  ｍｕｌｔｉ−ｐｏｉｎｔ）における信号情報の交換のための装置および方法に関する。
【背景技術】
【０００２】
ＣｏＭＰ送信は、ロング・ターム・エボリューション−進化型（ＬＴＥ−Ａｄｖａｎｃｅｄ：Ｌｏｎｇ  Ｔｅｒｍ  Ｅｖｏｌｕｔｉｏｎ−Ａｄｖａｎｃｅｄ）プロジェクトにおける見込みのある技術であり、またセル間干渉（ＩＣＩ：Ｉｎｔｅｒ−Ｃｅｌｌ  Ｉｎｔｅｒｆｅｒｅｎｃｅ）を効果的に低減させ、また高データ・スピード・カバレッジ、セル・エッジ・スループット、および／またはシステム・スループットを改善させることができる。協調スケジューリング／ビーム形成（ＣＳ／ＣＢ：ｃｏｏｒｄｉｎａｔｅｄ  ｓｃｈｅｄｕｌｉｎｇ／ｂｅａｍｆｏｒｍｉｎｇ）が、複数の送信ポイント（ＴＰ：ｔｒａｎｓｍｉｓｓｉｏｎ  ｐｏｉｎｔｓ）の間のデータ共有を必要としないので、これは、それゆえに、Ｘ２信号に基づいたマルチ基地局協調において実施される可能性の最も高い技術的問題解決手法であるものと考えられる。ビーム形成においては、ダウンリンク送信に適用される送信側の上のプリコードは、ＴＰの間で調整して、異なるＴＰのカバレッジ・エリアの間の干渉を低減させる。ＣＳにおいては、干渉を低減させるために、送信電力と、リソース割り付けとが、調整される。
【０００３】
一般的に、ＣＳ／ＣＢは、協調クラスタの中の基地局の間の、例えば、進化型ノード・ベース（ｅＮＢ：ｅｖｏｌｖｅｄ  ｎｏｄｅ  ｂａｓｅｓ）の間の密接な協調と、同期式の解決とを必要とする。しかしながら、実用的なネットワークにおいては、回路は、最適ではなく、また通常、約１５ミリ秒から６０ミリ秒の遅延が、存在している。遅延は、ＣＳ／ＣＢの協調効率に影響を及ぼす可能性があり、またＣＳ／ＣＢ設計を非常に困難なものにする。
【０００４】
要約すると、遅延を考慮して、信号情報が、それを通して基地局の間で交換されるＸ２インターフェースは、全体のネットワークのために適切であり、また有利である解決を行うために協調するように、基地局を支援することができる堅牢な情報を提供するべきである。それゆえに、改善されたＸ２信号についての差し迫った必要性が存在している。
【先行技術文献】
【非特許文献】
【０００５】
【非特許文献１】ＴＳ３６．３１４規格
【発明の概要】
【発明が解決しようとする課題】
【０００６】
本発明の実施形態は、Ｘ２信号情報の交換のための装置および方法を提供しており、これらの装置および方法は、遅延を有する実用的なネットワークに対して適用可能である。
【課題を解決するための手段】
【０００７】
本発明の一実施形態は、ＣｏＭＰにおける信号情報の交換のための方法を提供しており、そこでは、第１の送信ポイントと、第２の送信ポイントとは、少なくとも１つのユーザ機器（ＵＥ：ｕｓｅｒ  ｅｑｕｉｐｍｅｎｔ）についてのＣｏＭＰを提供する。本方法は、第１の送信ポイントが、第１の送信ポイントと、第２の送信ポイントとのうちの少なくとも一方についてのリソース割り付けを決定するステップと、すなわち、第１の送信ポイントが、その決定されたリソース割り付けについて第２の送信ポイントに通知するステップとを含む。リソース割り付けは、対応する送信ポイントのビーム形成と、電力と、ＵＥスケジューリングとのうちの少なくとも１つを含んでいる。
【０００８】
本発明のいくつかの他の実施形態においては、本方法は、第１の送信ポイントが、他の送信ポイントについてのリソース割り付けについて第２の送信ポイントに通知するステップをさらに含んでいる。第１の送信ポイントは、異なるタイプのリソースのインジケータを使用して、そのタイプのリソースについての割り付け情報を通知し、異なるタイプのリソースのインジケータは、対応するタイプのリソースのインデックス・リストと、対応するビットマップとを含んでいる。ビットマップの粒度は、周波数ドメイン物理リソース・ブロック、サブバンド、ブロードバンドもしくはキャリア、および／またはタイム・ドメイン・サブフレームとすることができる。さらに、対応するビットマップの中の各位置の値は、対応するタイプのリソースのインデックス・リストの中のそのタイプのリソースの１つのグループについてのインデックスのタグとすることができる。一部の実施形態においては、ビーム情報は、対応するビーム・インデックス・リストの中の各基本単位に対応しており、この基本単位は、プリコーディング行列インジケータ（ＰＭＩ：ｐｒｅｃｏｄｉｎｇ  ｍａｔｒｉｘ  ｉｎｄｉｃａｔｏｒ）と、ランク・インジケータ（ＲＩ：ｒａｎｋ  ｉｎｄｉｃａｔｏｒ）と、ビーム・タグとに関連づけられ、かつ／または複数のＰＭＩ−ＲＩ対と、ビーム・タグとに関連づけられることもある。ビーム・インデックス・リストの中の各ビーム・インジケータは、少なくとも１つのビーム制約条件またはビーム許可を含んでいる。ビーム形成についてのビーム情報は、１）コードブックの中の１つまたは複数のビーム・インデックス、ならびに１つまたは複数の以下の情報、すなわち、アンテナ・ポートの数、ランクの数、コードブック制約条件、第１のコードブックまたはその第１のコードブックおよび第２のコードブックの結合されたビーム、アンテナ・パターン、対応する送信ポイントのチャネル状態情報（ＣＳＩ：ｃｈａｎｎｅｌ  ｓｔａｔｅ  ｉｎｆｏｒｍａｔｉｏｎ）プロセス・インデックス、対応する送信ポイントのＣＳＩ−基準信号（ＣＳＩ−ＲＳ：ＣＳＩ−ｒｅｆｅｒｅｎｃｅ  ｓｉｇｎａｌ）構成インデックス、および対応する送信ポイントのＣＳＩ−干渉測定（ＣＳＩ−ＩＭ：ＣＳＩ−ｉｎｔｅｒｆｅｒｅｎｃｅ  ｍｅａｓｕｒｅｍｅｎｔ）構成インデックス、あるいは２）１つまたは複数の特定のビームを含む。本発明の一部の実施形態によれば、対応する送信ポイントのリソース割り付けが、電力であるときに、対応する送信ポイントの送信電力は、選択された物理リソース・ブロックの中のある種のしきい値まで、低下される。対応する送信ポイントのリソース割り付けが、ＵＥスケジューリングであるときに、対応する送信ポイントは、選択された物理リソース・ブロック／サブフレームの上の選択されたＵＥのスケジューリングを許可し、または回避するように指示される。いくつかの実施形態においては、本方法は、周波数ドメインにおいて、情報交換のための大きなサブバンド・サイズを使用することにより、信号情報を圧縮するステップと、タイム・ドメインにおいて、リソース割り付けの有効な期間を指示するためにタイマーまたはタイム・リミットを使用するステップとをさらに含む���いくつかの他の実施形態においては、本方法は、第２の送信ポイントによってフィードバックされるリソース使用情報を受信するステップと、そのリソース使用情報に基づいて、対応する送信ポイントのリソース割り付けを決定するステップとをさらに含む。
【０００９】
本発明のいくつかの実施形態は、さらに、ＣｏＭＰにおける信号情報の交換のための方法を提供しており、ここでは、第１の送信ポイントと、第２の送信ポイントとは、少なくとも１つのＵＥについてのＣｏＭＰを提供する。本方法は、第２の送信ポイントが、第２の送信ポイントのリソース使用情報を決定するステップと、第２の送信ポイントが、第１の送信ポイントに対して決定されたリソース使用情報を報告するステップとを含む。
【００１０】
本発明のいくつかの実施形態においては、本方法は、第２の送信ポイントが、第１の送信ポイントに対して干渉のレベル情報を報告するステップをさらに含んでいる。リソース使用情報は、第１の送信ポイントによって保護されたリソースについての使用情報と、第１の送信ポイントによって保護されていないリソースについての使用情報と、他の隣接するセルによって保護されたリソースについての使用情報と、他の隣接するセルによって保護されていないリソースについての使用情報とを含む。第２の送信ポイントは、定期的に、またはイベント・トリガされたやり方で、リソース使用情報を報告することができる。リソース使用情報は、保護されたＵＥのための、保護されたリソースのダウンリンク物理リソース・ブロックの使用と、保護されたＵＥのための、保護されていないリソースのダウンリンク物理リソース・ブロックの使用と、保護されたＵＥのための、保護されたリソースのアップリンク物理リソース・ブロックの使用と、保護されたＵＥのための、保護されていないリソースのアップリンク物理リソース・ブロックの使用とに分類される。
【００１１】
本発明のいくつかの他の実施形態は、ＣｏＭＰにおける信号情報の交換のための装置を提供しており、ここでは、第１の送信ポイントと、第２の送信ポイントとは、少なくとも１つのＵＥについてのＣｏＭＰを提供する。本装置は、第１の送信ポイントの上で構成されることもあり、また第１の送信ポイントと、第２の送信ポイントとのうちの少なくとも一方についてのリソース割り付けを決定するリソース割り付け決定デバイスと、決定されたリソース割り付けについて第２の送信ポイントに通知するリソース割り付けトランスミッタとを含む。リソース割り付けは、対応する送信ポイントのビーム形成と、電力と、ＵＥスケジューリングとのうちの少なくとも１つを含んでいる。
【００１２】
本発明のいくつかの実施形態は、ＣｏＭＰにおける信号情報の交換のための別の装置を提供しており、ここでは、第１の送信ポイントと、第２の送信ポイントとは、少なくとも１つのＵＥについてのＣｏＭＰを提供する。本装置は、第２の送信ポイントの上で構成されることもあり、また第２の送信ポイントのリソース使用情報を決定するリソース使用情報決定デバイスと、第１の送信ポイントに対して決定されたリソース使用情報を報告するリソース使用情報トランスミッタとを含む。
【００１３】
それに応じて、本発明は、実用的なネットワーク状態の下で、より効果的にＣｏＭＰをサポートすることができる。
【図面の簡単な説明】
【００１４】
【図１】本発明の一実施形態による、ＣｏＭＰにおける信号情報を交換するための方法のフロー・チャートである。
【図２】本発明の一実施形態による、ＣｏＭＰにおける信号情報を交換するためのシステムの概略的な構造図である。
【図３】本発明の別の実施形態による、ＣｏＭＰにおける信号情報を交換するための方法のフロー・チャートである。
【図４】本発明の一実施形態による、ＣｏＭＰにおける信号情報を交換するための装置の概略的な構造図である。
【発明を実施するための形態】
【００１５】
添付の図面についての詳細な説明は、本発明が、達成され得る形態だけを表す代わりに、本発明の好ましい実施形態についての説明としての役割を果たすことを意図している。同じ機能または同等の機能は、本発明の精神および範囲の中に対象として含まれることを意図している異なる実施形態によって遂行され得ることを理解すべきである。
【００１６】
現在では、ＣＳのための信号は、ブロードキャストのやり方で送信され、また知られている信号は、相対的狭帯域送信電力（ＲＮＴＰ：ｒｅｌａｔｉｖｅ  ｎａｒｒｏｗｂａｎｄ  ｔｒａｎｓｍｉｔ  ｐｏｗｅｒ）と、過負荷インジケータ（ＯＩ：ｏｖｅｒｌｏａｄ  ｉｎｄｉｃａｔｏｒ）と、高干渉インジケータ（ＨＩＩ：ｈｉｇｈ  ｉｎｔｅｒｆｅｒｅｎｃｅ  ｉｎｄｉｃａｔｏｒ）とを含む。そのような信号においては、対応する周波数ドメインの中の各物理リソース・ブロック（ＰＲＢ：ｐｈｙｓｉｃａｌ  ｒｅｓｏｕｒｃｅ  ｂｌｏｃｋ）のビットマップは、ＲＮＴＰを用いた相対的ダウンリンク送信電力レベルを示し、ＨＩＩを用いた相対的アップリンク送信電力レベルを示し、またＯＩを用いた相対的アップリンク干渉レベルを示す。信号情報の交換における非最適回路の長い遅延または短い遅延を考慮すると、中央集中されたスケジューリングは、機能しない可能性がある。それゆえに、ＲＮＴＰと、ＯＩと、ＨＩＩとの信号は、ダウンリンク協調情報と、アップリンク協調情報とを制約する。
【００１７】
本発明は、非最適回路の制約条件内において、ＣＳ／ＣＢをサポートする実現可能な技術的問題解決手法を提供しており、これは、分散型スケジューリング、または中央集中された制御スケジューリングに対して適用可能であり、また上記の技術的問題を解決する。
【００１８】
本発明の一実施形態によるＣｏＭＰシステムにおいては、第１の送信ポイントと、少なくとも１つの第２の送信ポイントとは、少なくとも１つのＵＥについてのＣｏＭＰを提供する。ＣＳ／ＣＢの観点から、ＵＥは、ＵＥが第２の送信ポイントに切り替えられない限り、第１の送信ポイントによってサービスされる。すなわち、ＵＥは、第１の送信ポイントに関連づけられ、または第１の送信ポイントによってサービスされ、第１の送信ポイントは、ＵＥのサービス送信ポイントであり、また第２の送信ポイントは、ＵＥの隣接する送信ポイントである。
【００１９】
ＣｏＭＰにおいては、ＴＰの間の信号情報の交換は、Ｘ２信号を通して遂行される可能性がある。本発明の実施形態によるＸ２信号を使用して、第２の送信ポイントが、第１の送信ポイントの利益のためのいくつかのダウンリンク・スケジューリング解決を回避するように推薦する情報を交換することができる。図１は、本発明の一実施形態による、ＣｏＭＰにおける信号情報を交換するための方法のフロー・チャートであり、また図２は、本発明の一実施形態による、ＣｏＭＰにおける信号情報を交換するためのシステム２０の概略的な構造図であり、ここで、装置２００は、第１の送信ポイントの上で構成されることもあり、または第１の送信ポイントとすることができる。この実施形態においては、装置２００は、第１の送信ポイントであることが、設定される。
【００２０】
図１および図２に示されるように、本方法は、ステップ１００において、本装置２００、すなわち、第１の送信ポイントのリソース割り付け決定デバイス２０４が、第１の送信ポイント２００と、第２の送信ポイント２０２とのうちの少なくとも一方についてのリソース割り付けを決定するステップを含んでおり、そのリソース割り付けは、対応する送信ポイント、すなわち、第１の送信ポイント２００または第２の送信ポイント２０２のビーム形成と、電力と、ＵＥスケジューリングとのうちの少なくとも１つを含んでいる。ステップ１０２において、装置２００のリソース割り付けトランスミッタ２０６は、決定されたリソース割り付けについて第２の送信ポイント２０２に通知する。本発明の一部の実施形態によれば、第１の送信ポイント２００は、異なるタイプのリソースのインジケータを使用して、対応する送信ポイントのそのタイプのリソースについての割り付け情報について第２の送信ポイント２０２に通知し、異なるタイプのリソースのインジケータは、対応するタイプのリソースのインデックス・リストと、対応するビットマップとを含んでいる。例えば、第１の送信ポイント２００は、ビーム・インジケータを使用して、そのビーム情報と、ビーム・インデックス・リストを含むビーム・インジケータと、対応するビットマップとについて第２の送信ポイント２０２に通知し、または電力インジケータを使用して、第２の送信ポイント２０２の電力情報と、電力インデックス・リストを含む電力インジケータと、対応するビットマップとについて第２の送信ポイント２０２に通知する。
【００２１】
具体的には、一例として第１の送信ポイント２００のリソース割り付けを取り上げることにより、本発明の一部の実施形態による、Ｘ２信号によって送信される可能な協調情報は、以下の情報のうちのすべてまたは一部分を含んでいる。
【００２２】
空間ドメイン
本発明の一部の実施形態によれば、第１の送信ポイント２００は、第２の送信ポイント２０２のビーム・インジケータが、１つまたは複数のビームを示すことができることを通知する。１つまたは複数のビームは、第１の送信ポイント２００によって回避され、または使用される可能性がある。ビーム情報は、以下を含むことができる。
１）コードブックの中の１つまたは複数のビーム・インデックス、および以下の情報、すなわち、
Ａ．アンテナ・ポートの数
Ｂ．ランクの数
Ｃ．コードブック制約条件、このコードブック制約条件は、ＣＳＩ報告構成についてのコードブック制約条件モードを使用することができる
Ｄ．第１のコードブック、またはその第１のコードブックおよび第２のコードブックの結合されたビーム、ここでは、コードブックは、ＵＥから第１の送信ポイント２００へのプリコーディング・コードブック、または他の新しく規定されたコードブックとすることができ、また２段でないコードブックは、ただ１つの第１のコードブックを有するものと考えられる可能性がある
Ｅ．アンテナ・パターン、例えば、一様な線形アレイまたは円弧型の線形アレイ
Ｆ．第１の送信ポイント２００のＣＳＩプロセス・インデックス
Ｈ．第１の送信ポイント２００のＣＳＩ−ＲＳ構成インデックス
Ｉ．第１の送信ポイント２００のＣＳＩ−ＩＭ構成インデックス
のうちの１つまたは複数
２）１つまたは複数の特定のビーム。
【００２３】
本発明のいくつかの実施形態においては、ビームは、信号情報のオーバーヘッドを低減させ、また非最適回路の遅延についての堅牢性を改善するように、サブサンプリングされる可能性があり、また調整係数、例えば、電力制約条件に関連づけられる可能性もある。
【００２４】
ビーム情報は、ビーム・インジケータ、すなわち、ビーム・インデックス・リストと対応するビットマップとを用いて、第１の送信ポイント２００によって第２の送信ポイント２０２に対して送信される可能性がある。各ビーム・インジケータは、少なくとも１つのビーム制約条件（回避可能なビーム）またはビーム許可（使用可能なビーム）を含むことができる。
【００２５】
ビーム情報は、ビーム・インデックス・リストの中の各基本単位に対応しており、またＰＭＩと、ＲＩと、ビーム・タグとに関連づけられ、かつ／または複数のＰＭＩ−ＲＩ対と、ビーム・タグとに関連づけられる可能性がある。本発明の一部の実施形態においては、ビットマップの中の各位置の値は、ビーム、またはビームのグループが、制約されるかどうかを示す。本発明のいくつかの他の実施形態においては、ビットマップの中の各位置の値は、ビーム、またはビームのグループが、許可されるかどうかを示す。ビットマップの中の各位置の値は、いくつかの表現のやり方を有することができ、例えば、本発明の一部の実施形態においては、ビットマップの中の各位置の値は、リストの中のビーム・インデックスのタグとすることができる。ビーム制約条件を示すときに、「０」は、ビーム制約条件が存在しないことを示し、「１」は、ビーム・インデックスの中の最低のタグによって示されるビームが、制約されることを示し、また「２」は、ビーム・インデックスの中の第２の最低のタグによって示されるビームが、制約されることなどを示す。他の実施形態においては、ビーム制約条件を示すときに、「０」は、ビーム制約条件が、存在しないことを示し、また「１」は、ビーム・インデックスの中の「ｘ」を有するタグによって示されるビームが、制約されることを示す。
【００２６】
本発明の一部の実施形態においては、ビットマップの中の各位置の値が、リストの中のビームの１つのグループのインデックスのタグとすることができ、グループ表示は、さらに交換される必要がある。同様に、ビーム制約条件を示すときに、「０」は、ビーム制約条件が存在しないことを示し、「１」は、ビーム・インデックスの中の最低のタグによって示されるビームのグループが、制約されることを示し、また「２」は、ビーム・インデックスの中の第２の最低のタグによって示されるビームのグループが、制約されることなどを示す。他の実施形態においては、ビーム制約条件を示すときに、「０」は、ビーム制約条件が存在しないことを示し、また「１」は、ビーム・インデックスの中の「ｘ」を有するタグによって示されるビームのグループが、制約されることを示す。
【００２７】
ビットマップの粒度は、周波数ドメイン物理リソース・ブロック、サブバンド、ブロードバンドもしくはキャリア、および／またはタイム・ドメイン・サブフレームとすることができる。粒度が、サブバンドである場合、サブバンドのサイズは、ＣＳＩ報告の中のサブバンドのサイズと同じであるように規定されることもあり、または２ＰＲＢ、５ＰＲＢ、６ＰＲＢなどとして具体的に規定される。複数のビットマップが、異なるビーム制約条件が同じ時間周波数リソースを示すことである場合、リソースの上で示されるすべてのビームが、制約される。同様に、複数のビットマップが、異なるビーム許可が同じ時間周波数リソースを示すことである場合、リソースの上で示されるすべてのビームが、許可される。
【００２８】
電力ドメイン
電力インジケータは、第１の送信ポイント２００の送信電力が、選択されたＰＲＢの中のある種のしきい値まで低減される。いくつかの実施形態においては、電力インジケータは、１つまたは複数の送信電力しきい値とすることができる。送信電力しきい値は、例えば、２０／２４／３０／３７ｄＢｍと、具体的に規定され、または、例えば、ＣＳＩプロセス構成によって信号で伝えられる４ｄＢ／２ｄＢ／０ｄＢという電力レベルよりも低いと、差で規定される可能性がある。送信電力しきい値は、例えば、ゼロ／低／中間／すべてと、大まかに規定される可能性もあり、ここで、「低」は、第１の送信ポイント２００がビーム・インジケータによって信号で伝えられるビームを使用する場合に、低い送信電力が、いくつかのＲＰＢにおいて使用されるべきであることを意味しているが、「すべて」は、第２の送信ポイント１０２が、ビーム・インジケータによって信号で伝えられるビームを使用する場合に、すべての送信電力が、送信のために使用される可能性があることを意味している。
【００２９】
電力インジケータの特定の送信のやり方は、ビーム・インジケータの送信のやり方に類似しており、このビーム・インジケータはまた、電力インデックス・リストと、対応するビットマップとを通して送信されることもあり、また本明細書においては繰り返されることはない。
【００３０】
ＵＥスケジューリング
ＵＥスケジューリング・インジケータは、第１の送信ポイントが、選択されたＰＲＢ／サブフレームの上のいくつかの選択されたＵＥのスケジューリングを許可し、または回避する。第１の送信ポイントのスケジューリング解決制約条件を有する各ＰＲＢ／サブフレームごとに、スケジューリング・インジケータは、第１の送信ポイント２００のＵＥの観点からの最強の干渉源のセル識別子を示すことができる。表示粒度は、ＰＲＢレベル、ＰＲＢグループ・レベル、サブバンド・レベル、ブロードバンド・レベル、サブフレーム・レベルおよび／またはキャリア・レベルとすることができる。粒度が、サブバンドである場合、サブバンドのサイズは、ＣＳＩ報告の中のサブバンドのサイズと同じであるように規定されることもあり、または２ＰＲＢ、５ＰＲＢ、６ＰＲＢなどとして具体的に規定される。
【００３１】
ＵＥスケジューリング・インジケータの特定の送信のやり方は、ビーム・インジケータの送信のやり方に類似しており、このビーム・インジケータはまた、ＵＥスケジューリング・インデックス・リストと、対応するビットマップとを通して送信されることもあり、また本明細書においては繰り返されることはない。
【００３２】
周波数ドメイン
本発明による、周波数ドメインにおけるＸ２信号粒度は、情報交換のためのサブバンドのサイズとして規定される。
【００３３】
最も微細なＸ２信号粒度は、各ＰＲＢである。しかしながら、第１の送信ポイント２００におけるＣＳＩフィードバック粒度と、限られた回路容量と、干渉推定についての限られた精度とを考慮して、周波数ドメインにおけるＸ２信号粒度は、Ｘ２信号によって示されるサブバンドのサイズ、または他のサイズとすることができる。一部の実施形態においては、信号情報は、情報交換のための大きなサブバンドのサイズを使用することにより、圧縮される。周波数ドメインの各グリッドの内部において、Ｘ２信号は、１つまたは複数の組合せを含むことができ、これらの組合せは、上記で説明されるような１つのビーム・インジケータ、上記で説明されるような１つの電力しきい値、および／または上記で説明されるようなＵＥスケジューリングを含むことができる。
【００３４】
タイム・ドメイン
本発明の一部の実施形態によるＸ２信号は、情報信頼性タイマーを含むことができる。
【００３５】
第１の送信ポイント２００のチャネル・コヒーレンス・タイムと、スケジューリングとを考慮して、周波数ドメインにおいて与えられるＸ２信号情報によって送信されるビームと、電力と、ＵＥスケジューリングと、情報とは、限られたサブフレームの中で有効とすることができ、すなわち、非定期的とすることができる。次のＸ２信号がアップデートされる前に、非最適回路に起因して、アップデートは、起こらず、または厳しく遅延させられることもある。タイマーは、時間ウィンドウを提供し、またその時間ウィンドウ中に、第２の送信ポイント２０２は、そのようなタイプのＸ２信号を考慮することができる。時間が満了する場合、第２の送信ポイント２０２は、情報を完全に無視することができ、この情報は、無効とすることができる。
【００３６】
周波数ドメインにおけるビームと、電力と、ＵＥスケジューリングと、情報とはまた、タイム・ドメインにおける制約条件についてのサブフレームのサブセットに関連づけられることもあり、すなわち、定期的である。例えば、第１の送信ポイント２００の観点からのいくつかの選択されたサブフレームは、本発明による改善されたＸ２信号と一緒に使用されるように、保護され、または限定されるべきである。
【００３７】
リソース割り付けについての上記の表示は、第１の送信ポイントについてのものであるが、しかしながら、本発明のいくつかの実施形態においては、第１の送信ポイント２００はまた、送信遅延を低減させる、第１の送信ポイント２００の隣接セルのリソース割り付けについて第２の送信ポイント２０２に通知することもできる。中央集中された制御モードにおいては、隣接セルのリソース割り付けは、第２の送信ポイント２０２のリソース割り付けを含んでいる。本発明の一部の実施形態によれば、第１の送信ポイント２００は、中央ノードとすることができ、この中央ノードは、協調セルについてのすべての情報、例えば、各セルについてのＣＳＩ報告を収集することができる。信号の観点から、これは、第１の送信ポイントが、中央集中化機能を有しているか、または実際のセルであるかに影響を及ぼすことはない。
【００３８】
第１の送信ポイント２００から第２の送信ポイント２０２へと送信される信号に加えて、本発明の一部の実施形態は、さらに、第２の送信ポイント２０２から第１の送信ポイント２００へと送信される信号を提供する。その部分におけるリソース使用情報についての定義はまた、第１の送信ポイント２００から第２の送信ポイント２０２へと送信される信号の一部分にも適用される。
【００３９】
図３は、本発明の別の実施形態による、ＣｏＭＰにおける信号情報を交換するための方法のフロー・チャートである。図４は、本発明の別の実施形態による、ＣｏＭＰにおける信号情報を交換するためのシステム２０の概略的な構造図であり、ここでは、装置２０２は、第２の送信ポイントとすることができ、または第２の送信ポイントの上で構成されることもある。この実施形態においては、装置２０２が、第２の送信ポイントと同じであることが、設定される。
【００４０】
図３および図４に示されるように、本方法は、ステップ３００において、装置２０２が、すなわち、第２の送信ポイント２０２のリソース割り付け決定デバイス２０５が、第１の送信ポイント２００と、第２の送信ポイント２０２とのうちの少なくとも一方についてのリソース割り付けを決定するステップを含んでおり、そのリソース割り付けは、対応する送信ポイントのビーム形成と、電力と、ＵＥスケジューリングとのうちの少なくとも１つを含んでいる。ステップ３０２において、装置２０２のリソース割り付けトランスミッタ２０７は、その決定されたリソース割り付けについて第２の送信ポイント２０２に通知する。
【００４１】
本発明の一部の実施形態によれば、例えば、第２の送信ポイント２０２は、第１の送信ポイント２００によって強く干渉され、また第２の送信ポイント２０２のリソース使用情報を第１の送信ポイント２００に対して報告して、第１の送信ポイント２００が、リソース割り付けを調整し、またはすべての隣接セルに対して情報をブロードキャストするように要求する。リソース使用情報に加えて、第２の送信ポイント２０２はまた、第１の送信ポイント２００に対して、第２の送信ポイント２０２の上の干渉のレベル情報を送信することを選択することもできる。
【００４２】
第２の送信ポイント２０２によって送信される情報を受信した後に、第１の送信ポイント２００は、隣接セルのリソース使用情報など、必要とされる情報を収集することを選択することができる。一部の実施形態においては、第１の送信ポイント２００はまた、隣接セルの干渉のレベル情報を収集することもできる。
【００４３】
収集された情報に基づいて、第１の送信ポイントは、第１の送信ポイントのリソース割り付けを調整し、または調整しないこともある。
【００４４】
本発明の一部の実施形態においては、第２の送信ポイント２０２によって報告されるリソース使用情報は、第１の送信ポイント２００によって保護されたリソースについての使用情報と、第１の送信ポイント２００によって保護されていないリソースについての使用情報と、他の隣接セルによって保護されたリソースについての使用情報と、他の隣接セルによって保護されていないリソースについての使用情報とを含む。保護されたリソースは、空間ドメインと、電力ドメインと、ＵＥスケジューリングとにおいて制約されたリソースを表すが、保護されていないリソースは、空間ドメインと、電力ドメインと、ＵＥスケジューリングとにおいて制約されていないリソースを表す。例えば、第２の送信ポイント２０２のために、第１の送信ポイント２００は、第１の送信ポイント２００の電力をある種のしきい値まで低減させて、第２の送信ポイント２０２の上の第１の送信ポイント２００の干渉を低減させ、また電力のリソースは、保護されたリソースである。
【００４５】
第２の送信ポイント２０２は、定期的に、またはイベント・トリガされたやり方で第２の送信ポイント２０２のリソース使用情報または干渉のレベル情報を報告することができる。定期的な報告の場合には、時間サイクルは、１ｓ、２ｓ、５ｓ、１０ｓなどに設定されることもある。さらに、一部の実施形態においては、報告されたリソース使用情報は、複数のＴＰに従って、例えば、第１の送信ポイントと、第２の送信ポイントとによって同時に保護されたリソースの使用情報に、下位分類されることもある。
【００４６】
リソース使用情報の決定は、バッファ・ステータスと、現在のリソース使用と、期待されたリソース使用と、サービス優先順位と、他の情報とを考慮に入れることができる。電力割り付けにおいては、リソース使用は、対応するＵＥの長期のチャネル情報および／または現在の干渉レベルに関連していることもある。例えば、保護されたリソースの使用は、そのような保護を必要とするＵＥに対応していることもある。
【００４７】
本発明の一部の実施形態によれば、リソース使用情報は、
１）保護されたリソースのダウンリンクＰＥＢの使用、または保護されたＵＥのための、保護されたリソースのダウンリンクＰＥＢの使用
２）保護されたＵＥのための、保護されていないリソースのダウンリンクＰＥＢの使用
３）保護されたリソースのアップリンクＰＥＢの使用、または保護されたＵＥのための、保護されたリソースのアップリンクＰＥＢの使用
４）保護されたＵＥのための、保護されていないリソースのアップリンクＰＥＢの使用
に分類されることもある。
【００４８】
本発明の実施形態において規定されるリソース使用情報は、ＴＳ３６．３１４規格の中のリソース使用情報定義に基づいて算出される。本発明の一部の実施形態における保護されたリソースのＰＲＢ使用の値は、（０．．．１００）の間の整数である。ＰＲＢ使用は、リソース保護タイプに基づいており、ＰＲＢ使用の測定は、１つのセルの内部で同じリソース保護タイプを有する保護されたＵＥの組であり、またアップリンクと、ダウンリンクとは別々に測定される。本発明の一部の実施形態は、以下の計算式、すなわち、
【００４９】
【数１】
2016539560.tif 000003
を提供しており、式中で、
Ｍ（Ｔ）は、リソース保護タイプの保護されたリソースのＰＲＢ使用を示しており、また時間サイクルＴの内部のＰＲＢ使用の平均パーセンテージとして表され、またＭ（Ｔ）の値は、０から１００％への範囲内にあり、
Ｍ２（Ｔ）は、対応するリソース保護タイプの保護されたＵＥのすべてのＰＲＢの数を示しており、ダウンリンクでは、対応する送信についてのすべてのＰＲＢが、含まれるべきであるが、アップリンクでは、対応する送信に割り付けられるすべてのＰＲＢが、含まれるべきであり、また
Ｐ（Ｔ）は、時間サイクルＴの内部の使用可能なＰＲＢの総数を示している。他の実施形態においては、Ｐ（Ｔ）はまた、使用されたＰＲＢの総数として規定される可能性もある。
【００５０】
保護されたリソースのＰＲＢ使用に類似して、本発明の一部の実施形態における保護されていないリソースのＰＲＢ使用の値もまた、（０．．．１００）の間の整数として規定される。望ましいリソース保護タイプに基づいて、ＰＲＢ使用の測定は、１つのセルの内部にリソース保護タイプを有するが、タイプによって保護されていないリソースを使用するすべての保護されたＵＥの組であり、またアップリンクと、ダウンリンクとは、別々に測定される。参照が、特定の測定式についての保護されたリソースのＰＲＢ使用の上記の測定式に対して行われる可能性があり、この測定式は、本明細書においては繰り返されない。
【００５１】
本発明の一部の実施形態によれば、リソース使用情報は、セルの中の中央のＵＥに従って、すなわち、保護されていないＵＥに従って規定され、また分類される可能性がある。本発明のいくつかの他の実施形態においては、リソース使用情報は、ＰＲＢ使用の代わりに、サブフレーム使用に従って規定され、また分類される可能性がある。サブフレーム使用では、サブフレーム使用の値はまた、整数、例えば、（０．．．４０）または（０．．．８）などとすることもできる。
【００５２】
さらに、第２の送信ポイント２０２が、第１の送信ポイント２００に対して、干渉レベルを報告するときに、干渉レベルは、低と、中間と、高とに大まかに分類される。干渉レベルは、保護されたリソース、または保護されていないリソースを用いて示される。
【００５３】
いくつかの実施形態においては、干渉レベルが、保護されたリソースを用いて示される場合、干渉電力が、さらに低減されるべきことが推奨されるか、または複数のビームが、特定のリソースにおいてブランキングになるべきであることが、推奨される。
【００５４】
本発明の一部の実施形態によれば、第１の送信ポイント２００は、すべての協調セルの情報を、例えば、各セルのＣＳＩ報告を収集することができる中央ノードとすることができ、その結果、リソース割り付けの通知は、第１の送信ポイント２００から第２の送信ポイント２０２へと送信される。信号の観点から、これは、第１の送信ポイントが、中央集中化機能を有しているか、または実際のセルであるかに影響を及ぼすことはない。
【００５５】
さらに、本発明のいくつかの実施形態が、第１の送信ポイントと、第２の送信ポイントとを伴う簡単なＣｏＭＰを実証しているにすぎないが、当業者なら、どのようにして本発明の改善されたＸ２信号を本発明の教示とインスピレーションとを有する複雑なＣｏＭＰシステムに対して適用すべきかを完全に理解すべきである。
【００５６】
技術の開発と、規格のアップデートとに起因して、同じ機能を有するコンポーネントが、多くの場合に、多数の異なる名前を有することに注意すべきである。本発明の特許出願において使用される技術用語は、本発明の技術的問題解決手法を説明し、また実証することを意図しており、技術的分野においてコンセンサスに基づいた機能の影響下にあるべきであるが、名前の類似性と違いとだけを用いて、任意に解釈される可能性はない。
【００５７】
本発明の技術的内容と、技術的特徴とが、上記で開示されており、また当業者なら、本発明の教示と開示とに基づいて、本発明の精神を逸脱することなく、様々な置換と修正とを依然として行うことができる。それゆえに、本発明の保護範囲は、実施形態によって開示された内容だけに限定されるべきではなく、ただし、本発明を逸脱することのないすべての置換と修正とを対象として含むべきであり、また本特許出願の特許請求の範囲に従うべきである。
【図１】
2016539560.tif 000004
【図２】
2016539560.tif 000005
【図３】
2016539560.tif 000006
【図４】
2016539560.tif 000007
【国際調査報告】
2016539560.tif 000008
2016539560.tif 000009
2016539560.tif 000010